(57)【要約】      （修正有）【課題】打込過程での損壊の可能性少で、くずを容易に排出できるセルフタッピングねじを提供する。【解決手段】ステンレス板２０への打ち込みに適用するセルフタッピングねじ３０は、中心軸に沿って、頭部３１、棒体３２、先端部３３を有する。棒体の表面に、中心軸に沿い、螺旋状に環繞するねじ山を有し、先端部の尖端は上向けに複数のノッチ３３２を延伸し、ノッチは、直角辺、斜辺により挟角を形成する。セルフタッピングねじがステンレス板に打ち込まれる時、棒体の先端部とねじ山が先端部を導引し、ステンレス板に穿入し、ノッチの直角辺により簡単に打ち込むことが出来る。鎖合過程ででるくずは、斜辺により排出されるか、ノッチ中に溜まり、セルフタッピングねじがステンレス板に打ち込まれる過程で損壊するのを防止する。【選択図】図５
0003153125.tif 000002
【実用新案登録請求の範囲】
【請求項１】
セルフタッピングねじであって、ステンレス板への打ち込みに適用し、前記セルフタッピングねじは、中心軸に沿って、頭部と、表面に、中心軸に沿い、螺旋状に環繞するねじ山を有する棒体と、前記頭部に反対に延伸する尖端を有する先端部と、からなり、
前記先端部は前記頭部方向に複数のノッチを延伸し、前記ノッチは、直角辺、斜辺により挟角を形成することを特徴とするセルフタッピングねじ。
【請求項２】
前記ノッチの長さは、前記先端部の尖端から前記頭部方向の完全なねじ山まで１５〜２０mm延伸することを特徴とする請求項１に記載のセルフタッピングねじ。  
【請求項３】
前記ノッチは、中心軸方向に分布し、前記セルフタッピングねじの直径は３〜１２槽に設定されることを特徴とする請求項１に記載のセルフタッピングねじ。
【考案の詳細な説明】
【技術分野】
【０００１】
本考案は、セルフタッピングねじに関するものであって、特に、ステンレス板に留めやすく、鎖合時に、セルフタッピングねじのねじ山が損壊せず、また、くずを容易に排出できるセルフタッピングねじに関するものである。
【背景技術】
【０００２】
公知のセルフタッピングねじ１０は、頭部１１、棒体１２、および、尖端１３１を有する先端部１３（図１、図２）からなる。セルフタッピングねじ１０がステンレス板２０に打ち込まれるとき、以下のような欠点がある。
１．公知のセルフタッピングねじ１０のノッチ１３２の長さがセルフタッピングねじ１０の棒体１２の長さとほぼ等しく、棒体１２上のねじ山１２１が破壊し、ねじ山１２１自身の強度不足により緩むことがある。
２．公知のセルフタッピングねじ１０のノッチ１３２は斜面１３２１を有するので（図３）、ノッチ１３２の任意の斜面１３２は硬度が高いステンレス板２０上に斜め方向にしか打ち込めず、ステンレス板２０上に留めたいとき、ノッチ１３２の両斜面１３２１は打ち込みにくく、更に、ねじ山１２１が損壊しやすい。
【考案の概要】
【考案が解決しようとする課題】
【０００３】
本考案は、簡単に、ステンレス板に打ち込むことが出来、且つ、ねじが打ち込まれる過程で、損壊が生じず、また、くずが容易に排出できるセルフタッピングねじを提供することを目的とする。
【課題を解決するための手段】
【０００４】
本考案のセルフタッピングねじは、中心軸に沿って、頭部、棒体、先端部を有する。先端部は、頭部に反対に延伸する尖端を有し、棒体の表面に、中心軸に沿い、螺旋状に環繞するねじ山を有し、先端部の尖端は上向けに複数のノッチを延伸し、ノッチは、直角辺、斜辺により挟角を形成する。セルフタッピングねじがステンレス板に打ち込まれる時、棒体の先端部とねじ山がステンレス板に対し打ち込み作用を生成し、ステンレス板が定位作用のある孔を形成する。その後、先端部をステンレス板内に導引して、ノッチの直角辺により打ち込み、鎖合過程ででるくずは、４５度の斜辺により排出されるか、ノッチ中に溜まる。
【考案の効果】
【０００５】
本考案のセルフタッピングねじは、簡単に、ステンレス板に打ち込むことが出来、且つ、タッピングねじが打ち込まれる過程で、損壊が生じず、また、くずが容易に排出できる。
【図面の簡単な説明】
【０００６】
【図１】公知のセルフタッピングねじの立体図である。
【図２】公知のセルフタッピングねじの側視図である。
【図３】図２のAAの断面図である。
【図４】本考案の実施例の立体図である。
【図５】本考案の実施例の側視図である。
【図６】図５のBB位置の断面図である。
【実施例】
【０００７】
図４と図５は、本考案のセルフタッピングねじ３０の実施例を示す図で、中心軸に沿って、頭部３１、棒体３２、および、先端部３３を有する。
棒体３２の表面は、中心軸方向に沿い、螺旋状のねじ山３２１を有する。
先端部３３は、頭部３１と反対方向に延伸する尖端３３１を有し、且つ、先端部３３の尖端３３１上のねじ山は、複数のノッチ３３２を延伸し、図６の実施例中のノッチ３３２は、直角辺３３２１、斜辺３３２２により挟角θを形成し、ノッチ３３２は９０度ごとに分布し、各ノッチ３３２の長さは、先端部３３の尖端３３１から頭部３１方向のねじ山まで１５〜２０mm延伸する。
また、ノッチ３３２は、中心軸方向に沿って分布し、且つ、セルフタッピングねじ３０の直径によって、３〜１２槽に設定される。
図５のように、セルフタッピングねじ３０がステンレス板２０に鎖入される時、棒体３２の先端部３３、および、ねじ山３２１は、ステンレス板２０に対し穿過作用を生成し、ステンレス板２０が定位作用のある孔を形成する。その後、先端部３３がステンレス板２０内に進入し、ノッチ３３２の直角辺３３２１により打ち込まれ、鎖合過程で生じるくずはノッチ３３２の斜辺３３２２から排出されるか、ノッチ３３２中に溜まる。
本考案のセルフタッピングねじ３０は使用上、以下のような長所がある。
１．図２で示される公知のセルフタッピングねじ１０は、ノッチ１３２の長さが棒体１２の長さに等しく、棒体１２上のねじ山１２１が破壊され、ねじ山１２１自身の強度不足で緩む問題があるが、図４と図５で示される本考案のノッチ３３２の長さは、先端部３３の尖端３３１から頭部３１方向のねじ山まで１５〜２０mm延伸し、棒体３２のねじ山３２１自身の強度を破壊しない。
２．公知のセルフタッピングねじ１０のノッチ３２１両辺は斜面１３２１であり（図３）、ステンレス板３０に打ち込む時、ノッチ３２１の両者面１３２１に打ち込みにくく、ねじ山１２１を損壊しやすいが、本考案のノッチ３３２（図６）は、直角辺３３２１（９０度に設定）と斜辺３３２２（４５度に設定）により、９０度の直角辺３３２１部が、ねじ山３２１のステンレス板２０への打ち込みを容易にする。４５度の斜辺３３２２部はくずの導引をサポートし、セルフタッピングねじ３０がステンレス板２０に打ち込まれる時、ねじ山３２１が損壊しない。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
１０      セルフタッピングねじ
１１      頭部
１２      棒体
１２１    ねじ山
１３      先端部
１３１    尖端
１３２    ノッチ
１３２１  斜面
２０      ステンレス板
３０      セルフタッピングねじ
３１      頭部
３２      棒体
３２１    ねじ山
３３      先端部
３３１    尖端
３３２    ノッチ
３３２１  直角辺
３３２２  斜辺
【図１】
0003153125.tif 000003
【図２】
0003153125.tif 000004
【図３】
0003153125.tif 000005
【図４】
0003153125.tif 000006
【図５】
0003153125.tif 000007
【図６】
0003153125.tif 000008
【手続補正書】
【提出日】平成21年6月18日(2009.6.18)
【手続補正１】
【補正対象書類名】実用新案登録請求の範囲
【補正対象項目名】全文
【補正方法】変更
【補正の内容】
【実用新案登録請求の範囲】
【請求項１】
セルフタッピングねじであって、ステンレス板への打ち込みに適用し、前記セルフタッピングねじは、中心軸に沿って、頭部と、表面に、中心軸に沿い、螺旋状に環繞するねじ山を有する棒体とその棒体は、前記頭部と反対に延伸する尖端を有する先端部とからなり、
前記先端部からは前記頭部方向に向かって所定の長さにわたって複数の前記ねじ山を越えるノッチを延伸し、前記ノッチは、直角辺、斜辺により挟角を形成することを特徴とするセルフタッピングねじ。